【手続補正書】
【提出日】令和3年7月2日(2021.7.2)
【手続補正１】
【補正対象書類名】特許請求の範囲
【補正対象項目名】全文
【補正方法】変更
【補正の内容】
【特許請求の範囲】
【請求項１】
フロントボディーと、
前記フロントボディーに配置されるレンズと、
前記フロントボディーに結合するリアボディーと、
前記フロントボディーと前記リアボディーとの間の内部空間に配置される第１基板と、
前記第１基板に配置されるイメージセンサーと、
前記内部空間に前記第１基板と離隔するように配置されて前記第１基板に電気的に連結される第２基板と、
前記第２基板に結合するコネクターと、
前記リアボディー内に固定されるカバーと、を含み、
前記カバーは、前記コネクターが配置されるホールを含む底板と、前記底板に延びる側板と、前記底板に配置されて前記コネクターを弾性的に支持する加圧ユニットを含み、
前記コネクターは、前記カバーの底板の内面と対向する第１面と、前記第１面から延びて前記ホールに配置される第２面を含み、
前記加圧ユニットは、前記コネクターの第１面を加圧する第１加圧部と、前記コネクターの第２面を加圧する第２加圧部を含み、
前記加圧ユニットは、前記底板から内側に傾斜するように延びる第１延長部と、前記第１延長部から延びて前記コネクターの第１面と接触する第１接触部と、前記第１接触部から前記ホールに向かって傾斜するように延びる第２延長部を含む、カメラモジュール。
【請求項２】
前記フロントボディーは、前記リアボディーと対向する第１面と、前記第１面から突出して互いに離隔する第１突出部と第２突出部を含み、
前記第１突出部は、前記第２突出部より光軸に近くなるよう前記第２突出部の内側に配置されて、
前記第１突出部は、前記第１基板と結合して、前記第２突出部は、前記リアボディーと結合して、
前記フロントボディーは、前記第１突出部と前記第２突出部との間で前記第１突出部と前記第２突出部を連結して互いに離隔する複数のリーブをさらに含む、請求項１に記載のカメラモジュール。
【請求項３】
前記カメラモジュールは、前記リアボディーの外面に結合するブラケットを含み、
前記リアボディーの外面は、前記フロントボディーの反対側に配置される第１面と、前記第１面と前記フロントボディーを連結する第２面を含み、
前記リアボディーは、前記第２面に配置される突起を含み、
前記ブラケットは、前記リアボディーの第１面と対向する底部と、前記底部に配置されて前記リアボディーの第１面を加圧する加圧部と、前記リアボディーの第２面に配置される側部と、前記側部に配置されて前記突起に係止するフックを含む、請求項１または２に記載のカメラモジュール。
【請求項４】
前記カメラモジュールは、前記第１基板と前記第２基板が結合するシールド部材を含み、
前記シールド部材は、前記第１基板に結合する本体部と、前記本体部から延びる延長部と、前記延長部に配置されるホールを含み、
前記第２基板は、少なくとも一部が前記ホールに配置される突起を含み、
前記突起は、前記ホールに配置されて前記延長部と対向する四つの面を含み、
前記突起の四つの面中少なくとも一つの面は、前記延長部と離隔する、請求項１乃至３のうちいずれか一項に記載のカメラモジュール。
【請求項５】
前記加圧ユニットは、前記第２延長部から延びて前記コネクターの第２面と接触する第２接触部と、前記第２接触部から外側に傾斜するように延びる第３延長部をさらに含む、請求項１乃至４のうちいずれか一項に記載のカメラモジュール。
【請求項６】
前記加圧ユニットは、互いに離隔する四つの加圧片を含み、
前記四つの加圧片は、前記コネクターの第２面の周りに等間隔に配置される、請求項１乃至５のうちいずれか一項に記載のカメラモジュール。
【請求項７】
前記加圧ユニットは、互いに離隔する複数の加圧片を含み、
前記複数の加圧片中一部は、前記第１加圧部で形成されて、前記複数の加圧片中残りの一部は、前記第２加圧部で形成される、請求項１乃至６のうちいずれか一項に記載のカメラモジュール。
【請求項８】
前記カバーと前記コネクターの外面は、グラウンドされる、請求項１乃至７のうちいずれか一項に記載のカメラモジュール。
【請求項９】
前記加圧ユニットの前記第１加圧部は前記カバーの前記底板より高い位置に配置され、
前記加圧ユニットの前記第２加圧部は前記カバーの前記底板より低い位置に配置される、請求項１乃至８のうちいずれか一項に記載のカメラモジュール。
【請求項１０】
前記加圧ユニットは第１加圧片と、前記第１加圧片の反対側に配置される第２加圧片を含み、
前記加圧ユニットの前記第１加圧片の加圧方向は前記加圧ユニットの前記第２加圧片の加圧方向と反対である、請求項１乃至９のうちいずれか一項に記載のカメラモジュール。
【請求項１１】
前記コネクターは前記加圧ユニットにより固定される、請求項１乃至１０のうちいずれか一項に記載のカメラモジュール。
【請求項１２】
前記第１基板と前記第２基板との間に配置されるシールド部材を含み、
前記シールド部材は本体部と、前記シールド部材の前記本体部から延びる延長部を含み、
前記延長部は互いに反対側に配置される二つの延長部を含み、
前記二つの延長部各々の少なくとも一部は前記カバーの前記側板の内面に接触する、請求項１乃至１１のうちいずれか一項に記載のカメラモジュール。
【請求項１３】
前記シールド部材の前記延長部はホールを含み、
前記第２基板は前記シールド部材の前記ホールと対応する位置に形成される突起を含み、
前記第２基板の前記突起は前記シールド部材の前記延長部の前記ホールに配置され、
前記第２基板は前記シールド部材によりグラウンドされる、請求項１２に記載のカメラモジュール。
【請求項１４】
フロントボディーと、前記フロントボディーに結合されるリアボディーを含むボディーと、
前記フロントボディーに配置されるレンズと、
前記ボディー内に配置される第１基板と、
前記第１基板の下側に配置され前記第１基板と電気的に連結される第２基板と、
前記第１基板に配置されるイメージセンサーと、
前記ボディー内に配置され前記第１基板と電気的に連結される第２基板と、
底板と、前記底板から延びる側板を含み前記ボディー内に配置されるカバーと、
少なくとも一部が前記カバー内に配置されるコネクターと、を含み、
前記カバーの前記底板は前記コネクターが貫通するホールと、前記ホールの内面の一部から内側に延長される加圧ユニットを含み、
前記加圧ユニットは前記カバーの前記底板より高い位置に配置される第１部分と、前記第１部分から延長され前記カバーの前記底板より低い位置に配置される第２部分を含み、
前記加圧ユニットの前記第１部分は前記コネクターを第１方向に加圧し、前記加圧ユニットの前記第２部分は前記コネクターを前記第１方向に垂直する第２方向に加圧する、カメラモジュール。
【請求項１５】
前記加圧ユニットは、前記底板から内側に傾斜するように延びる第１延長部と、前記第１延長部から延びて前記コネクターの第１面と接触する第１接触部と、前記第１接触部から前記ホールに向かって傾斜するように延びる第２延長部を含む、請求項１４に記載のカメラモジュール。
【請求項１６】
前記加圧ユニットは第１加圧ユニットと、前記第１加圧ユニットの反対側に配置される第２加圧ユニットを含み、
前記第１加圧ユニットの第２部分の加圧方向は前記第２加圧ユニットの第２部分の加圧方向と反対側である、請求項１４または１５に記載のカメラモジュール。
【請求項１７】
前記コネクターは前記加圧ユニットの前記第１及び第２加圧ユニットにより固定される、請求項１６に記載のカメラモジュール。
【請求項１８】
前記第１基板と前記第２基板との間に配置されるシールド部材を含み、
前記シールド部材は本体部と、前記本体部から延びる延長部を含み、
前記シールド部材の前記延長部は互いに反対側に配置される二つの延長部を含み、
前記二つの延長部の少なくとも一部は前記カバーの前記側板の内面と接触される、請求項１４乃至１７のうちいずれか一項に記載のカメラモジュール。
【請求項１９】
前記シールド部材の前記延長部はホールを含み、
前記第２基板は前記シールド部材の前記ホールと対応する位置に形成される突起を含み、
前記第２基板の前記突起は前記シールド部材の前記延長部の前記ホールに配置されてグラウンドされる、請求項１８に記載のカメラモジュール。
【請求項２０】
レンズを含むフロントボディーアセンブリーと、
前記フロントボディーアセンブリーと結合するリアボディーと、
前記フロントボディーアセンブリーと前記リアボディーとの間の内部空間に配置される第１基板と、
前記内部空間に前記第１基板と離隔するように配置されて前記第１基板に電気的に連結される第２基板と、
前記リアボディーと前記第２基板に固定されるコネクターと、
前記リアボディー内に固定されるカバーと、を含み、
前記カバーは、前記コネクターが配置されるホールを含む底板と、前記底板に延びる側板と、前記底板に配置されて前記コネクターを弾性的に支持する加圧ユニットを含み、
前記加圧ユニットは、前記コネクターを第１方向に加圧する第１加圧部と、前記コネクターを前記第１方向と異なる第２方向に加圧する第２加圧部を含む、カメラモジュール。